(57)【要約】【課題】ホッパ内の貯留物を強制的に乾燥させるようにしたホッパ内の貯留物の乾燥装置を提供すること。【解決手段】ホッパ１内の空気を吸引し、これをホッパ１内に配設する空気吹き込み管２を介してホッパ１内に投入された貯留物３内に送気することにより循環させるように構成する。【選択図】図１
2011052924.tif 000002
【特許請求の範囲】
【請求項１】
ホッパ内の空気を吸引し、これをホッパ内に配設する空気吹き込み管を介してホッパ内に投入された貯留物内に送気することにより循環させるように構成したことを特徴とするホッパ内の貯留物の乾燥装置。
【請求項２】
空気吹き込み管を、多数の空気吐出孔を形成した内管の外周面に、空気吐出孔を形成した弾性体チューブにて被覆するように構成したことを特徴とする請求項１記載のホッパ内の貯留物の乾燥装置。
【請求項３】
空気吹き込み管を構成する内管と弾性体チューブとのそれぞれの空気吐出孔の位置を互いに異なるように形成したことを特徴とする請求項１又は２記載のホッパ内の貯留物の乾燥装置。
【請求項４】
ホッパ内に投入された貯留物内に循環させるようにしてホッパ内空気を送り込むよう構成した送風ラインに除湿機構を設けたことを特徴とする請求項１、２又は３記載のホッパ内の貯留物の乾燥装置。
【請求項５】
送風ラインの除湿機構に脱臭機構を備えたことを特徴とする請求項１、２、３又は４記載のホッパ内の貯留物の乾燥装置。
【発明の詳細な説明】
【技術分野】
【０００１】
本発明は、ホッパ内の貯留物の乾燥装置に関し、特に、下水処理場におけるポンプ場や沈砂池で発生するごみや汚砂などの物質を場外に搬出するまでホッパ内に一時貯留する際、ホッパ内の空気を吸引し、これをホッパ内の貯留物内に送り込むように循環させることで貯留物を乾燥させるようにしたホッパ内の貯留物の乾燥装置に関するものである。
【背景技術】
【０００２】
従来、下水処理場のポンプ場においては、下水ポンプの詰まりを防ぐため流入する下水中のごみ（し渣）を除塵装置などを用い、そのスクリーンにて捕捉し、かつレーキにて該捕捉ごみを掻き揚げ回収し、このごみをベルトコンベア等で貯留用のホッパまで搬送し、予め設定された量に達するまで、また場外に排出するときまでホッパ内に一時貯留するようにしている。
【０００３】
また、下水処理場の沈砂池においては、流入する下水中の汚泥分を沈砂池にて予め沈殿除去し、この沈殿汚砂を沈砂掻揚機などにて掻き揚げ、ベルトコンベア等にて搬送し、場外に排出するときまで貯留用のホッパ内に一時貯留するようにしている。
【０００４】
ところで、下水処理場のポンプ場や沈砂池から掻き揚げ回収したごみや汚砂には、多量の水分を含んでいるため、予めある程度の脱水を行った後、貯留用のホッパに投入するようにしているが、それでもこのごみや汚砂には水分を多く含んでいるため、これをそのままホッパ内にて貯留していると、このごみや汚砂のホッパ内で腐敗が進み、かつごみや汚砂から水分が分離してホッパ外へ流出したりして不衛生であるとともに、周囲に悪臭を放つという問題があった。
そこで、このホッパ内にて貯留するごみや汚砂から自然分離する水分を排出するため、ホッパ内に複数本の水抜き管を配設するようにしたホッパの水抜き装置が提案されている。
【０００５】
しかし、従来のホッパ内に配設する水抜き装置は、ホッパ内に多数の水抜き孔を形成した複数本の水抜き管を配設して構成し、ホッパ内のごみや汚砂から自然に分離する水分を前記複数の水抜き孔より水抜き管内に導入するようにしてホッパ外部に排出するようにしているので、ホッパ内に貯留するごみや汚砂の一部が水分と一緒にこの水抜き孔を介して水抜き管内に侵入することにより水抜き孔や水抜き管内を閉塞してホッパ内の水抜きが効率的に行えず、かつホッパ内の貯留物の乾燥もできないという問題があった。
【発明の概要】
【発明が解決しようとする課題】
【０００６】
本発明は、上記従来のホッパ内の貯留物の水抜き装置の有する問題点に鑑み、ホッパ内の貯留物を強制的に乾燥させるようにしたホッパ内の貯留物の乾燥装置を提供することを目的とする。
【課題を解決するための手段】
【０００７】
上記目的を達成するため、本発明のホッパ内の貯留物の乾燥装置は、ホッパ内の空気を吸引し、これをホッパ内に配設する空気吹き込み管を介してホッパ内に投入された貯留物内に送気することにより循環させるように構成したことを特徴とする。
【０００８】
この場合において、空気吹き込み管を、多数の空気吐出孔を形成した内管の外周面に、空気吐出孔を形成した弾性体チューブにて被覆するように構成することができる。
【０００９】
また、空気吹き込み管を構成する内管と弾性体チューブとのそれぞれの空気吐出孔の位置を互いに異なるように形成することができる。
【００１０】
また、ホッパ内に投入された貯留物内に循環させるようにしてホッパ内空気を送り込むよう構成した送風ラインに除湿機構を設けることができる。
【００１１】
また、送風ラインの除湿機構に脱臭機構を備えることができる。
【発明の効果】
【００１２】
本発明のホッパ内の貯留物の乾燥装置によれば、ホッパ内の空気を吸引し、これをホッパ内に配設する空気吹き込み管を介してホッパ内に投入された貯留物内に送気することにより循環させるように構成することにより、ホッパ内の貯留物を乾燥させ、ホッパからの汚水の流出を防止することができるとともに、貯留物腐敗による臭気を含むホッパ内の空気が外部に漏れることがないので臭気を周囲に飛散させることがなく、ホッパ内の貯留物の乾燥を効果的に行うことができる。
【００１３】
また、空気吹き込み管を、多数の空気吐出孔を形成した内管の外周面に、空気吐出孔を形成した弾性体チューブにて被覆するように構成することにより、ブロアなどの駆動にてホッパ内の空気を吸引送気する場合、その空気圧にて弾性体チューブを内管の外周面より膨出させて内管の空気吐出孔より弾性体チューブの空気吐出孔を介してホッパ内の貯留物内に送気することができ、また送気を停止すると弾性体チューブの弾性によりその膨出が停止し、内管の空気吐出孔を閉塞するので、貯留物や水分が空気吐出孔より侵入して空気吹き込み管の内管を閉塞することがないのでホッパ内の空気の循環、停止を繰り返しても長期間にわたりその機能を保持してホッパ内の貯留物の乾燥を効果的に行うことができる。
【００１４】
また、空気吹き込み管を構成する内管と弾性体チューブとの空気吐出孔の位置を互いに異なるように形成することにより、ホッパ内の空気の循環を停止することにより弾性体チューブが縮小する際、直ちに弾性体チューブにて内管の空気吐出孔を確実に閉塞することができる。
【００１５】
また、ホッパ内に投入された貯留物内に循環させるようにしてホッパ内空気を送り込むよう構成した送風ラインに除湿機構を設けることにより、ホッパ内とホッパ内の貯留物内間で空気を循環させるだけで、該循環空気に含まれる水分が除去され、ホッパ内の貯留物の乾燥を効果的に行うことができる。
【００１６】
また、送風ラインの除湿機構に脱臭機構を備えることにより、ホッパ内の空気を循環させるだけで、ホッパ内で発生する臭気も周囲に飛散させることなく除去することができる。
【図面の簡単な説明】
【００１７】
【図１】本発明のホッパ内の貯留物の乾燥装置の一実施例を示す正面縦断面図である。
【図２】空気吹き込み管の拡大断面図で、（ａ）は空気を送気していない状態を示し、（ｂ）は空気を送気している状態を示す。
【図３】送風ラインの除湿機構を示す断面図である。
【発明を実施するための形態】
【００１８】
以下、本発明のホッパ内の貯留物の乾燥装置の実施の形態を、図面に基づいて説明する。
【００１９】
図１〜図３に、本発明のホッパ内の貯留物の乾燥装置の一実施例を示す。
このホッパ内の貯留物の乾燥装置は、下水処理場のポンプ場や沈砂池において回収したごみや汚砂を、直接或いはある程度脱水した後、ベルトコンベア等で搬送し、かつ場外に排出するときまで貯留するようにしたホッパ１内、より詳しくはホッパ内の貯留物３内に空気吹き込み管２を配設し、該ホッパ１内の空気を吸引し、これを空気吹き込み管２を介してホッパ１内の貯留物３内に送気することにより循環できるように送風ライン４を配設して構成する。
【００２０】
このホッパ１は、所要の貯留量を有するもので、その底部に排出用のゲートを、また上部には蓋（いずれも図示省略）をそれぞれ必要に応じて開閉するようにして配設し、閉蓋時にはホッパ１内の空気が外部に漏れないようにするとともに、ホッパ１内に投入された貯留物３内に送気できるように空気吹き込み管２を配設するようにする。
なお、この空気吹き込み管２は、ホッパ内に投入された貯留物３内に乾燥用の空気を送り込むものであるため、望ましくは貯留物３の全体に亘って均一に空気を送り込めるように複数本を所定間隔に配設する。
【００２１】
この空気吹き込み管２は、図２に示すように、多数の空気吐出孔２１ｈを形成した内管２１の外周面に、空気吐出孔２２ｈを形成した弾性体チューブ２２にて被覆するように構成するとともに、内管２１と弾性体チューブ２２とに複数形成するそれぞれの空気吐出孔２１ｈ、２２ｈの位置を互いに異なるように形成する。
これにより、ブロア５などの駆動にてホッパ１内の空気を吸引して空気吹き込み管側に送気する場合、その空気圧にて弾性体チューブ２２を内管２１の外周面より膨出させて内管２１の空気吐出孔２１ｈより弾性体チューブ２２の空気吐出孔２２ｈを介してホッパ内の貯留物３内に送気することができ、また送気を停止すると弾性体チューブ２２の弾性により自動的に収縮して内管２１の外周面に密着するようになる。
この場合、内管２１と弾性体チューブ２２とに複数形成するそれぞれの空気吐出孔の位置を互いに異なるように形成しているので、内管２１の空気吐出孔２１ｈを確実に閉塞され、貯留物３や水分が空気吐出孔２１ｈより侵入して空気吹き込み管の内管２１を閉塞することがないのでホッパ内の空気の循環、停止を繰り返しても長期間にわたりその機能を保持してホッパ内の貯留物３の乾燥を効果的に行うことができる。
【００２２】
また、前記空気吹き込み管２にはホッパ内空気を吸引してホッパ内の貯留物３内に吹き込むことができるよう送風ライン４を接続する。この送風ライン４は、図１に示すように、ホッパ外に配設したブロア５に接続する吸引管６先端の吸引口７をホッパ内に開口するよう配設し、これによりホッパ内空気を吸い込むようにするとともに、該ブロア５の吐出口に送気管８を接続し、該送気管８より分岐管９を介して各空気吹き込み管２を接続して構成する。この場合、全空気吹き込み管２に均等に送気できるようにすることが望ましい。
【００２３】
送風ライン４には、より詳しくはブロア５に接続する吸引管６の途中に除湿機構１０を配設する。この除湿機構１０は、ホッパ内より吸引する空気の水分を除去するようにするもので、特に限定されるものではなく、吸引管６に接続する除湿箱１０ａ内にシリカゲル等の除湿剤を充填するか或いは、図３に示すように、吸引管６に接続する除湿箱６ａ内に網目スクリーン等の表面積の大きな開口を有する障壁物１０ｂ（以下、「網目スクリーン１０ｂ」と言う。）を充填或いは挿入してドレインポットを構成する。
なお、このドレインポットの対向する２側面に吸引管６を接続することで、これによりホッパ側に接続する一方の吸引管よりドレインポット内にホッパ内の空気を導入し、除湿した後、他方側の吸引管を介してブロア５に吸引できるようにする。この場合、水分を多く含んだホッパ内の空気がドレインポット内の網目スクリーン１０ｂに触れることで水分が結露し、除湿される。この結露水を網目スクリーン１０ｂを伝ってドレインポット内に蓄えられるように、図３に示すように、ドレインポット内底部に貯水部を形成し、かつこの貯水量が一定以上に達するとドレインポット外へ導き出すようにする。
【００２４】
また、除湿機構１０にはドレインポット内に導入するホッパ内空気中の臭気成分を除去、低減するよう脱臭機構（図示省略）を配設する。この脱臭機構としては除湿機構１０のドレインポットに隣接するか、或いは除湿機構１０内に配設し、これによりホッパ内空気が吸引管よりドレインポットを経るとき、空気中の臭気成分を除去するようにする。この脱臭機構としてゼオライト等の脱臭剤を用いることができる。
なお、この脱臭機構は、特に限定されるものではなく、前記除湿機構１０内にて紫外線を照射したり、オゾンを添加したり、或いはこれらを組み合わせて空気中の臭気成分を除去するようにすることもできる。
また、この除湿機構１０は、ブロア５に接続する吸引管６に配設する以外に、送風ライン４のいずれかに配設することもできる。
【００２５】
次に、ホッパ１内の貯留物の乾燥装置の作用について説明する。
下水処理場のポンプ場や沈砂池から回収したごみや汚砂が所定量ホッパ内に貯留されるとホッパ蓋を閉じ、送風ライン４のブロア５を駆動することでホッパ１内の空気は吸引管６、送気管８、分岐管９を介して各空気吹き込み管２内に送り込まれ、貯留物３内に吐出され、再び吸引口７より吸引管６に吸引されるようになって、ホッパ内空気は送風ライン４を介して循環される。この場合、ホッパ内空気は循環されているので、ホッパ内空気圧は上昇せず臭気や水分がホッパ外へ漏出することがない。
【００２６】
また、空気吹き込み管２内に送り込まれた空気圧にて空気吹き込み管の内管２１の外側に被覆した弾性体チューブ２２が膨出するようになって、図３（ｂ）に示すように、内管２１の空気吐出孔２１ｈより内管２１と弾性体チューブ２２との間にできた隙間２３を介して弾性体チューブ２２の空気吐出孔２２ｈよりホッパ内の貯留物３内に送気し、これによりホッパ１内の貯留物３を乾燥するようになる。
ホッパ１内の貯留物３を排出する際、或いは貯留物３の乾燥が完了すると送風ライン４のブロア５を停止する。これにより、内管内の圧力が低下するので空気圧にて膨出していた弾性体チューブ２２は、その弾性により収縮して内管２１の外周面に再び密着するようになる。しかも内管２１と弾性体チューブ２２に複数形成するそれぞれの空気吐出孔２１ｈ、２２ｈの位置を互いに異なるように形成しているので、内管２１の空気吐出孔２１ｈは弾性体チューブ２２にて確実に閉塞されるので、ブロア停止時に貯留物３や水分が内管の空気吐出孔より侵入して空気吹き込み管２を閉塞することがない。
これにより、ホッパ内の空気の循環、停止を繰り返してもホッパ内の臭気が周囲に漏れることなくホッパ１内の貯留物３の乾燥を効果的に行うことができる。
【００２７】
以上、本発明のホッパ内の貯留物の乾燥装置について、その実施例に基づいて説明したが、本発明は上記実施例に記載した構成に限定されるものではなく、実施例に記載した構成を適宜組み合わせる等、その趣旨を逸脱しない範囲において適宜その構成を変更することができるものである。
【産業上の利用可能性】
【００２８】
本発明のホッパ内の貯留物の乾燥装置は、ホッパ内の空気を吸引し、これをホッパ内の貯留物内に送り込むように循環させることで貯留物を強制的に乾燥させるという特性を有していることから、下水処理場のポンプ場や沈砂池から回収するごみや汚砂の処理の用途に好適に用いることができる。
【符号の説明】
【００２９】
１    ホッパ
２    空気吹き込み管
２１  内管
２２  弾性体チューブ
２１ｈ  空気吐出孔
２２ｈ  空気吐出孔
３    貯留物
４    送風ライン
５    ブロア
６    吸引管
７    吸引口
８    送気管
９    分岐管
１０  除湿機構
１０ａ  除湿箱
１０ｂ  網目スクリーン
【図１】
2011052924.tif 000003
【図２】
2011052924.tif 000004
【図３】
2011052924.tif 000005